(57)【要約】【課題】ユーザの嗜好を予め記憶して嗜好情報に自動的に反映させることにより、嗜好情報の入力の際の操作負担を軽減する。【解決手段】配信システム１００は、車載器１０と路側無線装置２０がＤＳＲＣ通信によって接続され、路側無線装置２０とセンター装置３０がネットワークＮによって接続されており、車載器１０は、前記路側無線装置を介して前記センター装置と通信を行う通信モジュール２と、ユーザ嗜好データテーブルＴ２とジャンル再生回数テーブルＴ３とジャンル−嗜好データ関連テーブルＴ４を記憶部１ｆに記憶し、嗜好データ自動選択処理によって自動的にユーザ嗜好データテーブルＴ２を更新して、嗜好情報をアップリンク情報ｍ１に含ませてセンター装置３０に対して送信する。センター装置３０は、車載器１０から受信したアップリンク情報ｍ１に含まれる嗜好情報に基づいて当該車載器１０に対して配信するコンテンツ情報を編成して配信する。【選択図】図１１
2009294890.tif 000002
【特許請求の範囲】
【請求項１】
車載器と、前記車載器と無線通信可能に接続された路側無線装置と、前記路側無線装置を介して前記車載器にコンテンツ情報を配信するセンター装置とを有する配信システムであって、
前記車載器は、
前記路側無線装置を介して前記センター装置と通信を行う通信手段と、
前記センター装置に対して送信すべきユーザの嗜好情報及び当該嗜好情報を更新するための更新情報を記憶する記憶手段と、
前記記憶手段に記憶された前記更新情報に基づいて前記記憶手段に記憶された前記嗜好情報を新たな嗜好情報に更新する更新手段と、
前記更新手段によって更新された前記嗜好情報を前記通信手段に送信させる制御手段と、
を備え、
前記センター装置は、前記車載器から受信した更新された前記嗜好情報に基づいて当該車載器に対して配信するコンテンツ情報を編成し、当該編成されたコンテンツ情報を当該車載器に対して配信することを特徴とする配信システム。
【請求項２】
路側無線装置を介してコンテンツ情報を配信するセンター装置と通信を行う通信手段と、
前記センター装置に対して送信すべきユーザの嗜好情報及び当該嗜好情報を更新するための更新情報を記憶する記憶手段と、
前記記憶手段に記憶された前記更新情報に基づいて前記記憶手段に記憶された前記嗜好情報を新たな嗜好情報に更新する更新手段と、
前記更新手段によって更新された前記嗜好情報を前記通信手段に送信させる制御手段と、
を備えることを特徴とする車載器。
【請求項３】
前記嗜好情報は、少なくとも楽曲のジャンルを含み、
前記更新情報は、少なくとも楽曲のジャンルと当該楽曲のジャンルに属する楽曲の再生回数を含み、
前記更新手段は、予め定められた回数以上の再生回数がある前記更新情報の楽曲のジャンルと一致する楽曲のジャンルを含む前記嗜好情報を更新する請求項２に記載の車載器。
【請求項４】
楽曲を再生する再生手段と、
前記再生手段によって再生された楽曲のジャンルを取得するジャンル取得手段と、
を更に備え、
前記更新情報に含まれる楽曲のジャンルは、前記ジャンル取得手段によって取得された楽曲のジャンルであり、前記再生回数は前記再生手段によって再生された回数であることを特徴とする請求項３に記載の車載器。
【請求項５】
前記記憶手段は、前記更新情報に含まれる楽曲のジャンルと前記嗜好情報に含まれる楽曲のジャンルを対応付けるテーブルを更に記憶し、
前記更新手段は、前記更新情報に含まれる楽曲のジャンルと前記テーブルによって対応付けられた楽曲のジャンルと一致する楽曲のジャンルを含む前記嗜好情報を更新することを特徴とする請求項３又は４に記載の車載器。
【請求項６】
前記記憶手段の記憶可能容量を取得し、当該取得された前記記憶手段の記憶可能容量に基づいて前記コンテンツ情報を記憶するか否かを判断する保存可能領域判断手段を更に備え、
前記更新手段は、前記保存可能領域判断手段によって前記コンテンツ情報を記憶すると判断した場合に、前記嗜好情報を更新することを特徴とする請求項２〜５のいずれか一項に記載の車載器。
【発明の詳細な説明】
【技術分野】
【０００１】
本発明は、配信システム及び車載器に関する。
【背景技術】
【０００２】
従来、ナビゲーション装置のような車載器では、ＤＳＲＣ（Dedicated Short Range Communication）等を利用して路上に設置された路側無線装置と狭域無線通信を行い、当該路側無線装置を介してセンター装置から情報提供を受けることが可能となっている。すなわち、車両が路側無線装置の通信範囲内にある間のみ、車両の車載器と路側無線装置との双方向通信が可能となり、この間にセンター装置が路側無線装置を介して、地域情報（例えば周辺の店舗や医療機関の情報）や広告情報等の各種コンテンツ情報を配信するのである。
【０００３】
また、前記車載器では、路側無線装置から配信された各種コンテンツ情報を記憶することにより、路側無線装置と通信できず受信時にコンテンツ情報の再生ができない環境においても当該各種コンテンツ情報を再生することが可能になっている（特許文献１参照）。
【特許文献１】特開２００７−１０９０３２号公報
【発明の開示】
【発明が解決しようとする課題】
【０００４】
ところで、前記車載器には多くのコンテンツ情報が配信されるが、必ずしもユーザの嗜好に沿ったコンテンツ情報が配信されるとは限らない。そこで、ユーザの嗜好を反映させたアップリンク情報を車載器からセンター装置に対して送信し、当該受信したアップリンク情報に基づいてセンター装置からユーザの嗜好に応じたコンテンツ情報を配信することが検討されている。
【０００５】
しかし、ユーザの嗜好をアップリンク情報に反映させるためには、ユーザから車載器に対して入力を行うことにより嗜好情報を作成し、当該嗜好情報をアップリンク情報に含ませる必要がある。
【０００６】
本発明は、上述したような課題に鑑みてなされたものであり、その目的とするところは、ユーザの嗜好を予め記憶して嗜好情報に自動的に反映させることにより、嗜好情報の入力の際の操作負担を軽減することである。
【課題を解決するための手段】
【０００７】
上記課題を解決するために、請求項１に記載の発明は、
車載器と、前記車載器と無線通信可能に接続された路側無線装置と、前記路側無線装置を介して前記車載器にコンテンツ情報を配信するセンター装置とを有する配信システムであって、
前記車載器は、
前記路側無線装置を介して前記センター装置と通信を行う通信手段と、
前記センター装置に対して送信すべきユーザの嗜好情報及び当該嗜好情報を更新するための更新情報を記憶する記憶手段と、
前記記憶手段に記憶された前記更新情報に基づいて前記記憶手段に記憶された前記嗜好情報を新たな嗜好情報に更新する更新手段と、
前記更新手段によって更新された前記嗜好情報を前記通信手段に送信させる制御手段と、
を備え、
前記センター装置は、前記車載器から受信した更新された前記嗜好情報に基づいて当該車載器に対して配信するコンテンツ情報を編成し、当該編成されたコンテンツ情報を当該車載器に対して配信することを特徴とする。
【０００８】
請求項２に記載の発明は、
路側無線装置を介してコンテンツ情報を配信するセンター装置と通信を行う通信手段と、
前記センター装置に対して送信すべきユーザの嗜好情報及び当該嗜好情報を更新するための更新情報を記憶する記憶手段と、
前記記憶手段に記憶された前記更新情報に基づいて前記記憶手段に記憶された前記嗜好情報を新たな嗜好情報に更新する更新手段と、
前記更新手段によって更新された前記嗜好情報を前記通信手段に送信させる制御手段と、
を備えることを特徴とする。
【０００９】
請求項３に記載の発明は、請求項２に記載の発明において、
前記嗜好情報は、少なくとも楽曲のジャンルを含み、
前記更新情報は、少なくとも楽曲のジャンルと当該楽曲のジャンルに属する楽曲の再生回数を含み、
前記更新手段は、予め定められた回数以上の再生回数がある前記更新情報の楽曲のジャンルと一致する楽曲のジャンルを含む前記嗜好情報を更新することを特徴とする。
【００１０】
請求項４に記載の発明は、請求項３に記載の発明において、
楽曲を再生する再生手段と、
前記再生手段によって再生された楽曲のジャンルを取得するジャンル取得手段と、
を更に備え、
前記更新情報に含まれる楽曲のジャンルは、前記ジャンル取得手段によって取得された楽曲のジャンルであり、前記再生回数は前記再生手段によって再生された回数であることを特徴とする。
【００１１】
請求項５に記載の発明は、請求項３又は４に記載の発明において、
前記記憶手段は、前記更新情報に含まれる楽曲のジャンルと前記嗜好情報に含まれる楽曲のジャンルを対応付けるテーブルを更に記憶し、
前記更新手段は、前記更新情報に含まれる楽曲のジャンルと前記テーブルによって対応付けられた楽曲のジャンルと一致する楽曲のジャンルを含む前記嗜好情報を更新することを特徴とする。
【００１２】
請求項６に記載の発明は、請求項２〜５のいずれか一項に記載の発明において、
前記記憶手段の記憶可能容量を取得し、当該取得された前記記憶手段の記憶可能容量に基づいて前記コンテンツ情報を記憶するか否かを判断する保存可能領域判断手段を更に備え、
前記更新手段は、前記保存可能領域判断手段によって前記コンテンツ情報を記憶すると判断した場合に、前記嗜好情報を更新することを特徴とする。
【発明の効果】
【００１３】
本発明によれば、ユーザの嗜好を予め記憶して嗜好情報に自動的に反映させることができ、嗜好情報の入力の際の操作負担を軽減させることができる。
【発明を実施するための最良の形態】
【００１４】
（第１の実施の形態）
まず、構成を説明する。
図１に、本実施形態における配信システム１００を示す。
配信システム１００は、図１に示すように、車両Ｃに搭載された車載器１０、路側無線装置２０、センター装置３０を含んで構成される。センター装置３０は路側無線装置２０を介して車載器１０にコンテンツ情報を配信する。
路側無線装置２０は路上や駐車場等に複数設置され、各路側無線装置２０はネットワークＮを介してセンター装置３０と接続されている。路側無線装置２０と、車両Ｃの車載器１０とは無線通信が可能である。
【００１５】
なお、コンテンツ情報とは、データ形式等の詳細は後述するが、店舗の広告や駐車場、医療施設の案内等のコンテンツ（テキスト情報、画像情報、音声情報等）の他、コンテンツ情報を提供する事業者に関する情報、コンテンツ情報の有効期限の情報（例えば、有効期限の開始と終了の日時）、サービスを提供可能な対象地点の情報（例えば、広告している店舗の地点を示す緯度経度や店舗名等）が含まれる。例えば、位置情報を含むコンテンツ情報であれば緯度経度情報も格納されているが、コンテンツ情報に位置情報が含まれなければ緯度経度情報は必要がなく、当該位置情報を示すデータ領域には情報は格納されない。
他にも、コンテンツ情報として、当該コンテンツ情報の通知を行うためのポップアップ画面を表示させるべき再生地点（例えば、ポップアップ画面を表示させる地点を示す緯度経度、ポップアップ画面を表示させる道路種別や車両の進入方向を指定する情報等）、コンテンツ情報の表示画面の遷移情報（次に表示する画面を指定する情報等）等を含む情報が格納されていてもよい。
【００１６】
以下、各構成装置について詳細に説明する。
路側無線装置２０は、図２に示すように本体装置２０ａとアンテナ２０ｂとから構成されている。路側無線装置２０は、道路脇や道路上方に設置されたアンテナ２０ｂから、到達距離が限定されたＤＳＲＣの電波を放射する。この電波放射範囲を以下、路側エリアＺという。この路側エリアＺ内にある車両Ｃの車載器１０とだけ双方向狭域無線通信が可能となる。以下、路側無線装置２０と車載器１０間の狭域無線通信を路車間通信という場合がある。
【００１７】
ＤＳＲＣは５．８GHz帯域の電波を使った通信方式であり、その通信範囲は例えば直径数メートルから数十メートルである。各路側無線装置２０からのＤＳＲＣの送信出力は何れも同じ程度に設定されているので、各路側無線装置２０の路側エリアＺは設置場所に関係なく、ほぼ一定である。
【００１８】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツ情報を車載器１０へ転送する。本体装置２０ａとしては、情報処理や通信制御を行う制御部、記憶部等を備えたコンピュータ端末を適用することができる。
【００１９】
車載器１０は、車両Ｃに搭載され、案内経路への誘導のための処理等を行うナビゲーション機能の他、ＤＳＲＣによるＥＴＣ（Electronic Toll Collection System）利用のための処理を行う機能等を有している。
車載器１０は、図３に示すように、カーナビ部１、通信モジュール２、ＤＳＲＣ部３、制御部４、再生部５を備えて構成されている。
【００２０】
制御部４は、制御手段として機能し、ＣＰＵ（Central Processing Unit）、ＲＡＭ（Random Access Memory）等から構成され、記憶部１ｆに記憶された制御プログラムとの協働により各種演算を行う他、各部の集中制御を行う。
例えば、制御部４は、路側無線装置２０との路車間通信を行う際にはＤＳＲＣ部３の通信動作を制御する。なお、制御部４は、ＤＳＲＣ部３の制御にあたってはＤＳＲＣ部３のＤＳＲＣ制御部３ａとの協働により制御を行う。また、制御部４は、ＤＳＲＣ部３を介してセンター装置３０から受信したコンテンツ情報の保存、再生制御等を行う。
【００２１】
カーナビ部１は、カーナビ制御部１ａ、現在地検出部１ｂ、地図記憶部１ｃ、入力部１ｄ、表示部１ｅ、記憶部１ｆ等を備えて、車両Ｃを案内経路へ誘導するための処理を行う。
カーナビ制御部１ａは、現在地検出部１ｂから取得した現在地の情報及び地図記憶部１ｃに記憶された地図情報等に基づいて、車両Ｃの現在地から入力部１ｄを介して設定された目的地までの案内経路を算出する。そして、カーナビ制御部１ａは、地図記憶部１ｃに記憶されている地図情報を用いて算出した案内経路へ誘導するための地図画面を生成し、表示部１ｅにより表示させる。
【００２２】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す現在地情報（経度、緯度等の情報）を生成し、カーナビ制御部１ａに出力する。
【００２３】
地図記憶部１ｃは、メモリやＤＶＤ等の記録媒体から構成され、案内表示に必要な地図情報、通信モジュール２を介して受信されるガイド情報（道路情報、渋滞情報等）等を記憶している。
【００２４】
入力部１ｄは、操作キーや表示部１ｅと一体に構成されるタッチパネル等から構成されている。入力部１ｄは、これらの操作に対応する操作信号を生成し、制御部４に出力する。
表示部１ｅは、モニタを備え、制御部４の制御に従ってモニタ上に各種情報を表示する。各種情報とは、例えば、設定画面や地図画面、センター装置３０から受信したコンテンツ情報の表示画面等である。
【００２５】
記憶部１ｆは、メモリ等から構成され、制御部４やカーナビ制御部１ａにより実行される制御プログラム、プログラムの実行に必要なパラメータやデータ等を記憶している。また、記憶部１ｆは、後述する嗜好データ自動選択処理によって使用されるユーザ嗜好データテーブルＴ２、ジャンル再生回数テーブルＴ３、ジャンル−嗜好データ関連テーブルＴ４等を記憶する記憶手段として機能する。
また、記憶部１ｆは、センター装置３０に提供するアップリンク情報ｍ１を記憶するとともに、センター装置３０から受信したコンテンツ情報を記憶する。正規の配信事業者が複数ある場合には、アップリンク情報ｍ１は各配信事業者に応じた内容で制御部４によりそれぞれ生成され、記憶部１ｆに記憶される。ここで、正規の配信事業者とは、ユーザがコンテンツ情報の配信について契約をした配信事業者をいう。
アップリンク情報ｍ１は最新の内容となるように制御部４が常に更新を行って記憶部１ｆに保存させる。なお、アップリンク情報ｍ１の詳細については後述する。
【００２６】
通信モジュール２は、通信手段として機能し、光通信用、ＦＭ通信用、２．４GHz電波通信用のアンテナをそれぞれ備え、通信センターと光通信、ＦＭ通信、電波通信を行う。通信モジュール２は通信センターから渋滞情報や道路交通情報等を受信し、制御部４に出力する。通信センターとしてはＶＩＣＳセンター等を挙げることができるが、これに限らない。また、通信センターから受信する情報としては、渋滞情報や道路交通情報に限らない。
なお、通信モジュール２として他にもＷｉＭａｘ（Worldwide Interoperability for Microwave Access）等のＤＳＲＣ以外の通信手段を使用することにより、インターネット等の情報を入手することもできる。
【００２７】
ＤＳＲＣ部３は、ＤＳＲＣによるＥＴＣ利用のための処理や、センター装置３０からコンテンツ情報を受信するための通信処理等を行う。
ＤＳＲＣ部３は、図３に示すようにＤＳＲＣ制御部３ａ、通信部３ｂ、記憶部３ｃ、ＥＴＣ処理部３ｅ、ＩＣカードＩ／Ｆ３ｆを備えて構成されている。
【００２８】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
また、センター装置３０からコンテンツ情報を受信する際には、制御部４の指示に従って記憶部３ｃのアップリンク情報記憶領域Ｍに記憶されている情報を、通信部３ｂにより路側無線装置２０に送信させる一方、通信部３ｂにより路側無線装置２０を介してコンテンツ情報を受信した場合にはこれを制御部４に出力する。
【００２９】
通信部３ｂは、例えば車両Ｃのダッシュボード上でフロントガラス近傍等の位置に固設されたアンテナを備え、このアンテナを介して路側無線装置２０やＥＴＣ基地局等と、ＤＳＲＣの電波の送受信を行う。
【００３０】
記憶部３ｃは、ＤＳＲＣ制御部３ａにより実行される制御プログラム等を記憶している。
また、記憶部３ｃにはアップリンク情報記憶領域Ｍが設けられている。アップリンク情報記憶領域Ｍは、センター装置３０に対してユーザが欲する情報を提供するためのアップリンク情報ｍ１専用に設けられた記憶領域であり、アップリンク情報ｍ１の他、車載器１０の特性情報が記憶される。
【００３１】
アップリンク情報ｍ１とは、具体的なデータ格納例等は後述するが、センター装置３０においてどのような内容のコンテンツ情報を配信するかを決定する際に用いられる情報である。アップリンク情報ｍ１は、サービス事業者ごとに作成され、車両Ｃが立寄った地点や、車載器１０のユーザの嗜好情報、次回来店時の特典等を個別に配信するなどの多目的な情報を扱うための会員情報等が含まれる。サービス事業者は、これらの情報をもとに車載器１０に配信するコンテンツ情報を決定することとなる。
【００３２】
嗜好情報とは車載器１０のユーザの嗜好を反映させた情報であり、サービス事業者ごとに配信されるコンテンツ情報の嗜好データに基づいて作成される。詳細は後述するが、本実施の形態においては、嗜好データとしてセンター装置３０は車載器１０に対して配信嗜好データテーブルＴ１を配信する。車載器１０は、当該配信嗜好データテーブルＴ１に基づいてユーザの嗜好を反映させたユーザ嗜好データテーブルＴ２を作成する。当該ユーザ嗜好データテーブルＴ２には嗜好情報が含まれ、当該嗜好情報がアップリンク情報ｍ１に反映させてセンター装置３０に対して送信されることになる。
【００３３】
特性情報とは、車載器１０の機器特性に関する情報をいう。特性情報には、車載器１０の車載器ＩＤ、車載器１０が対応できる言語、地図の測地系、車載器１０が対応できる著作権管理技術、表示部１ｅのディスプレイの解像度、ＳＶＧ（Scalable Vector Graphics）の対応性、コンテンツ情報を蓄積可能な記憶容量等の情報が含まれる。なお、車載器ＩＤは各車載器１０に固有の識別情報である。
【００３４】
ＥＴＣ処理部３ｅは、ＩＣカードＩ／Ｆ３ｆに挿抜されるＩＣ付きクレジットカード又はデビットカード等に対して決済情報等の読み書きを行う。
ＩＣカードＩ／Ｆ３ｆは、上記クレジットカード等のスロットを備え、このスロットに挿入されたクレジットカード等のＩＣとＥＴＣ処理部３ｅの間で情報のやりとりを仲介する。
【００３５】
再生部５は、ＣＤ（Compact Disk）やＤＶＤ（Digital Versatile Disk）が再生可能な機器や、ＵＳＢ（Universal Serial Bus）オーディオが接続可能に構成され、各種メディアに記憶された楽曲を再生することができる。制御部４は、再生部５に当該楽曲の再生指示を行うと共に、後述する楽曲ジャンル取得処理によって、楽曲のジャンルを取得する。
【００３６】
次に、センター装置３０について説明する。
センター装置３０は、制御部や記憶部等から構成され、コンテンツ情報を記憶し、これを路側無線装置２０を介して車載器１０に配信する。
なお、図１では１台のセンター装置３０のみ示したが、コンテンツ情報を配信する配信事業者は複数あり、センター装置３０は配信事業者毎に備えられるものである。また、図１ではセンター装置３０がネットワークＮを介して路側無線装置２０と接続されている例を示したが、センター装置３０の一部の機能を路側無線装置２０が所有していてもよい。この場合、複数の路側無線装置２０が保持するセンター装置３０の機能を管理するサーバとしてのセンター装置３０が存在し、当該サーバとしての役割を果たすセンター装置３０がネットワークＮを介して路側無線装置２０と接続されていてもよい。
【００３７】
以下、図４及び図５を用いて、コンテンツ情報の詳細について説明する。
図４に、センター装置３０から配信されるコンテンツ情報のデータ構造の一例について示す。図４に示すように、センター装置３０からは一時に複数の情報グループが配信され、車載器１０では複数の情報グループを受信して、再生又は記憶部１ｆに蓄積することとなる。
ここで、図４における情報グループ１、２、・・ｎのそれぞれが１つのコンテンツ情報であり、車載器１０においてはコンテンツ情報を単位として再生処理が行われる。
【００３８】
図４に示すように、１つのコンテンツ情報は、内容により分類された複数の要素で構成される。各構成要素はＩＤ番号（００、０１、・・等）と当該ＩＤ番号に対応して格納される実データからなる。図４において、情報グループ１を構成するコンテンツ情報には、ＩＤ００（ＩＤ番号が「００」であることを示す、以下同じ）、ＩＤ０１、ＩＤ０２、ＩＤ０３、ＩＤ０４、ＩＤ０５、ＩＤ１０、ＩＤ３０で規定される情報が含まれていることを示している。
【００３９】
図５に、コンテンツ情報のフォーマットの一例を示す。
図５に示すように、コンテンツ情報には、個々にＩＤが付された情報、例えば構成ＩＤ情報、サービス事業者情報、情報提供企業情報、再生条件、対象地点情報、詳細情報、嗜好データ等が含まれている。
【００４０】
ＩＤ００の構成ＩＤ情報は、コンテンツ情報に含まれる各情報の識別番号の一覧を示す情報である。この構成ＩＤ情報中の各情報の識別番号の有無を確認することにより、当該各情報が存在するか否かを即時に判断することが出来る。
【００４１】
識別番号は、コンテンツ情報に含まれる各情報の分類を示す。
また、識別番号は、ＩＤ００〜ＩＤ２５５まで割り振られており、例えばＩＤ１０は対象地点情報、ＩＤ４０は詳細情報であることを示す。
なお、コンテンツ情報に含まれる各ＩＤに対応する情報にはヘッダ情報（図示せず）が含まれており、各ＩＤに含まれている情報量を示す情報バイト等、各ＩＤに対応する内容を示す情報やフラグ等がヘッダ情報として格納されている。
以下、識別番号に対応する各情報について説明する。
【００４２】
ＩＤ０１のサービス事業者情報は、サービス事業者を特定するための情報であり、例えばサービス事業者に一意に付与されたサービス事業者コード等である。
ＩＤ０２の情報提供企業情報は、コンテンツ情報に関する詳細な情報であり、例えば当該コンテンツ情報の情報提供元を特定することのできる企業コード、サービス事業者がコンテンツ情報に対し個別に割り付けた情報コード、コンテンツ情報の内容を示すための情報表示用テキスト、コンテンツ情報が属する嗜好データのカテゴリ等である。
他にも、企業コードに対応する企業を通知するテキスト等をＩＤ０２のコンテンツ情報として格納してもよい。情報コードは先述の通り、コンテンツ情報に割り当てられたコードであり、コンテンツ情報を識別することができる。
ＩＤ０３の再生条件は、車載器１０が受信したコンテンツ情報の再生を即時に行うか記憶部１ｆに蓄積（記憶）するかを示す即時／蓄積コード等である。
【００４３】
ＩＤ１０の対象地点情報は、サービスの提供を行う店舗や施設等をいい、対象地点の情報としては、例えば対象地点の位置を示す対象地点座標（緯度経度）が含まれる。対象地点座標が存在しないコンテンツ情報の場合は、画面遷移のための説明の情報が格納されていてもよい。
対象地点座標が存在するコンテンツ情報の場合は、他にも対象地点の位置を示す対象地点座標（緯度経度）、対象地点名称等を示す対象地点表示用テキスト、対象地点が駐車場である場合に、当該駐車場と提携している駐車場を示す提携駐車場情報、サービス提供可能な場所を表すアイコンのデータであるアイコン表示画像データ、サービスの説明用のテキスト情報である表示用文字データ、サービスを表す静止画像である表示画像データ、サービスを表す表音文字列情報である表音文字列データ等が格納される。
他にも、例えば対象地点の説明等に係る圧縮音声データ、表音文字列と圧縮音声の再生順序を表す音声再生順、ビデオデータ、サービスのＵＲＬ等からなる。この圧縮音声データには楽曲のデータが格納されていてもよいし、ビデオデータには当該楽曲のプロモーションビデオ等が格納されていてもよい。この場合、表示用文字データや後述するＩＤ４０の詳細情報に、当該楽曲等のジャンルが格納されていてもよい。
なお、対象地点が存在しないコンテンツ情報の場合は、画面遷移のための説明の情報が格納されていてもよい。
【００４４】
ＩＤ４０の詳細情報は、当該コンテンツ情報に関する詳細な情報が格納され、汎用的な利用をすることができる。
コピーコントロールフラグは、車載器１０がコンテンツ情報を受信した際に詳細情報データをアップリンク情報ｍ１の会員情報に書き込むか否かを示すフラグである。コピーコントロールフラグがオン（値が「１」の場合）の場合には、ＩＤ４０の詳細情報データをアップリンク情報ｍ１の会員情報に書き込み、コピーコントロールフラグがオフ（値が「０」の場合）の場合には、ＩＤ４０の詳細情報データをアップリンク情報ｍ１の会員情報に書き込まないよう制御されることになる。
したがって、コピーコントロールフラグがオンになっている場合は、詳細情報データには会員情報が格納されていることになるので、上記の例では情報内容フラグは「２」の値をとることになる。
【００４５】
情報内容フラグは、詳細情報データの内容の種別を示すための識別情報である。本実施の形態においては、情報内容フラグが「０」の場合は詳細情報データに情報コードが格納されていることを示し、「１」の場合は詳細情報データに串刺し検索コードが格納されていることを示す。串刺し検索コードとは、当該コンテンツ情報の種類を識別するためのコードである。例えば、サービス事業者が、串刺し検索コードが「００００１」であれば、当該コンテンツ情報はクーポンの情報であることを示し、「００００２」であれば当該コンテンツ情報は新着情報であること等を示すことを設定すれば、車載器１０はその串刺し検索コードを用いてコンテンツ情報を検索することが可能である。情報内容フラグが「２」の場合は詳細情報データに会員情報が格納されていることを示す。
【００４６】
詳細情報データは、情報コード、串刺し検索コード、会員情報等が格納される。他にも、当該コンテンツ情報の内容の説明をするためのテキスト情報や、ＩＤ１０の対象地点情報に楽曲データが格納されている場合には、当該楽曲のジャンル等が格納されてもよい。
表示用文字データは、サービス対象地点や画面遷移の案内を行う情報や、検索のための検索用語等、表示部１ｅに表示させてユーザを補助するための情報である。表音文字列は音声によってユーザに伝達するための情報を格納している。
なお、表示用文字データや表音文字列は、通常詳細情報データに関連するものである。
【００４７】
ＩＤ８０の嗜好データ情報は、配信するコンテンツ情報の選択のために用いられる情報である。嗜好データ情報は、例えば嗜好データバージョン情報、嗜好データ表示用テキスト、嗜好データ番号、嗜好データ表示用ネスト、嗜好データ対象識別子、嗜好データデフォルト値、表音文字列等からなる。
【００４８】
図６に、ＩＤ８０の嗜好データ情報のデータ形式を詳細に示す。
嗜好データ表示用テキストとは、車載器１０の表示部１ｅにＩＤ８０の内容を表示させる際の文字情報である。嗜好データ番号とは、嗜好データ１〜嗜好データ１２７に連番に付与された１〜１２７の数値である。
嗜好データ表示用ネストとは、嗜好データ表示用テキストを表示部１ｅに表示させる際の位置を示す情報であり、本実施の形態においては８段階あるものとし、０〜７のいずれかの数字が格納される。例えば、「０」は表示部１ｅの左端を示し、「１」は左端から全角１文字右にずらした位置等のように判断されることになる。
【００４９】
嗜好データ対象識別子とは、車載器１０がセンター装置３０に対して送信すべき嗜好データを示す値が格納される。当該値が「０」の嗜好データは、嗜好データのメニューとしての情報であり、車載器１０からセンター装置３０に対して送信せず、「１」の嗜好データは、嗜好データのカテゴリを示し、つまり当該嗜好データは車載器１０からセンター装置３０に対して送信すべき嗜好データであると判断する。
嗜好データデフォルト値とは、当該嗜好データを選択する／しないを示すデフォルトの値が格納される。当該フィールドに格納された値が「０」の嗜好データは選択しない旨を示し、「１」の嗜好データは選択する旨を示す。当該値はサービス事業者が設定することになる。表音文字列とは、嗜好データを車載器１０において音声で通知するためのデータが格納される。
【００５０】
本実施の形態においては、図６に示すようにＩＤ８０に対応するデータ領域には、嗜好データ１〜１２７が格納されており、使用しない嗜好データＸ（Ｘは１〜１２７の任意の整数を示す）にはデータは格納されない。例えば、ＩＤ８０のうち、嗜好データ１〜１００のみ使用したい場合には嗜好データ１０１〜１２７にはデータは格納しないことになる。
【００５１】
車載器１０では、センター装置３０から配信されたＩＤ８０の嗜好データ情報がユーザの嗜好に応じて編集される。車載器１０は、当該編集された嗜好データ情報をアップリンク情報ｍ１に含ませてセンター装置３０に対して送信することになる。以降においては、区別をするため、センター装置３０から車載器１０に対して配信するＩＤ８０の嗜好データ情報を利用した嗜好データテーブル（図６の嗜好データ１〜１２７を含むデータテーブルである）を配信嗜好データテーブルＴ１といい、車載器１０においてユーザの嗜好を反映させた嗜好データテーブルをユーザ嗜好データテーブルＴ２という。
【００５２】
図７に、センター装置３０から車載器１０に対して配信される配信嗜好データテーブルＴ１のデータ格納例を示す。
図７に示すように、配信嗜好データテーブルＴ１は、「嗜好データ番号」フィールド、「嗜好データ表示用テキスト」フィールド、「嗜好データ表示用ネスト」フィールド、「嗜好データ対象識別子」フィールド、「嗜好データデフォルト値」フィールド、及び「表音文字列」フィールドから構成される。
「嗜好データ番号」フィールドの値は、ＩＤ８０の嗜好データ番号である。「嗜好データ表示用テキスト」フィールドの値は、ＩＤ８０の嗜好データ表示用テキストである。「嗜好データ表示用ネスト」フィールドの値は、ＩＤ８０の嗜好データ表示用ネストである。
「嗜好データ対象識別子」フィールドの値は、ＩＤ８０の嗜好データ対象識別子である。「嗜好データデフォルト値」フィールドの値は、ＩＤ８０の嗜好データデフォルト値である。「表音文字列」フィールドの値は、ＩＤ８０の表音文字列である。
【００５３】
図６に示したように、ＩＤ８０の嗜好データ情報は嗜好データ１〜嗜好データ１２７が含まれるので、配信嗜好データテーブルＴ１は図７に示すように最大で１２７個のレコードが存在することになる。先述したように、センター装置３０から車載器１０に対して、図７に示すようなデータが格納された配信嗜好データテーブルＴ１が配信され、車載器１０においては当該配信された配信嗜好データテーブルＴ１に基づいて自己の嗜好に応じた編集（配信嗜好データテーブルＴ１の内容を変更することを示す）し、アップリンク情報ｍ１に含ませてセンター装置３０に対して送信することになる。
【００５４】
図８に、車載器１０において生成されるユーザ嗜好データテーブルＴ２のデータが格納された一例を示す。図８に示すように、ユーザ嗜好データテーブルＴ２は「嗜好データ表示用テキスト／ネスト」フィールド、「嗜好データ選択」フィールド、及び「嗜好データ番号」フィールドから構成される。
「嗜好データ表示用テキスト／ネスト」フィールドには、配信嗜好データテーブルＴ１の「嗜好データ表示用テキスト」フィールドの嗜好データ表示用テキストと、「嗜好データ表示用ネスト」フィールドの嗜好データ表示用ネストが格納される。図８に示す例では、説明の便宜上、表示用ネストの値を反映させて表示用テキストを記載している。
「嗜好データ選択」フィールドには、嗜好データを選択する／しないを示す値が格納される。当該フィールドに格納された値が「０」の嗜好データは選択しない旨を示し、「１」の嗜好データは選択する旨を示す。つまり、車載器１０のユーザがサービス事業者に登録し、登録後初めて配信嗜好データテーブルＴ１が車載器１０に対して配信された時は、ユーザ嗜好データテーブルＴ２の「嗜好データ選択」フィールドの値は、配信嗜好データテーブルＴ１の「嗜好データデフォルト値」フィールドの値がそのまま格納されることになる。
「嗜好データ番号」とは、センター装置３０に対して通知すべき嗜好データに連番に割り当てられた識別番号が格納される。本実施の形態においては、嗜好データとしてセンター装置３０に対して通知する数は９６個までとする。つまり、配信嗜好データテーブルＴ１の嗜好データは最大で１２８であるので、嗜好データ対象識別子の値が１である嗜好データが９６個以上ある場合は、嗜好データ番号が小さい順に９６個までがセンター装置３０に対して送信されるものとする。
先述したように、センター装置３０から車載器１０に対して配信された図７に示すような配信嗜好データテーブルＴ１に基づいて、車載器１０のユーザは嗜好データを編集することにより、自己の嗜好を反映させ、図８に示すようなユーザ嗜好データテーブルＴ２を作成することになる。
【００５５】
図９に、本実施の形態において車載器１０の表示部１ｅに表示される嗜好データ設定画面Ｇ１の一例を示す。図９に示すように、嗜好データ設定画面Ｇ１は、嗜好データ表示用テキスト表示欄Ｇ１ａ、嗜好データ選択欄Ｇ１ｂ等から構成される。
嗜好データ表示用テキスト表示欄Ｇ１ａは、ユーザ嗜好データテーブルＴ２の「表示用テキスト／ネスト」フィールドに格納された値が表示されることになる。
嗜好データ選択欄Ｇ１ｂは、ユーザ嗜好データテーブルＴ２の「嗜好データ選択」フィールドに格納された値が表示されることになる。図９に示す嗜好データ選択欄Ｇ１ｂの網掛けで表示した領域は当該値を選択している旨を示している。
【００５６】
図９に示す嗜好データ設定画面Ｇ１は、図８に示すユーザ嗜好データテーブルＴ２のようにデータが格納された際に表示される場合を示している。つまり、例えば「嗜好データ表示用テキスト／ネスト」フィールドの値が「地域の情報」であるレコードは、「嗜好データ選択」フィールドの値が「１」であるので、嗜好データ表示用テキスト表示欄Ｇ１ａに「地域の情報」が表示されている行に対応する嗜好データ選択欄Ｇ１ｂが「ＯＮ」となっている。
ユーザは、入力部１ｄからの入力により、嗜好データ選択欄Ｇ１ｂの「ＯＦＦ」を選択すること等により、嗜好データ選択欄Ｇ１ｂの対応する行の嗜好データを設定画面Ｇ１に表示された嗜好データを選択する／しないを変更することができる。つまり、例えば嗜好データ表示用テキスト表示欄Ｇ１ａに「地域の情報」を表示している行の嗜好データ選択欄Ｇ１ｂを「ＯＮ」から「ＯＦＦ」となるように入力部１ｄから指示を行うと、ユーザ嗜好データテーブルＴ２の「嗜好データ表示用テキスト／ネスト」フィールドの値が「地域の情報」であるレコードは、「嗜好データ選択」フィールドの値が「１」から「０」に変更されることになる。このようにして、ユーザはユーザ嗜好データテーブルＴ２の内容を変更する。
上記説明したユーザ嗜好データテーブルＴ２の「嗜好データ選択」フィールドの値がアップリンク情報ｍ１に含まれて、センター装置３０に対して送信されることになる。
【００５７】
コンテンツ情報は上記各ＩＤの情報を含めて予め作成されたものをセンター装置３０に保存しておき、配信時には、これらのコンテンツ情報のうち配信するコンテンツ情報をセンター装置３０が選択する。なお、各ＩＤの情報は必要に応じてコンテンツ情報に含められ、常に全てのＩＤの情報がコンテンツ情報に含まれているわけではない。例えば、対象地点において提携指定されている提携駐車場が無ければ、ＩＤ１０の対象地点に提携駐車場情報は含まれないことになる。
【００５８】
次に、図１０を参照してアップリンク情報ｍ１について説明する。
アップリンク情報ｍ１には、配信事業者の特定情報、車両Ｃの目的地／経由地、累計走行距離、嗜好ジャンルテーブルバージョン、嗜好ジャンルデータ、会員情報、過去立寄地、受信／再生履歴等が含まれる。図１０に例を示すように、アップリンク情報ｍ１は配信事業者Ａ、Ｂ等の配信事業者毎に生成され、アップリンク情報記憶領域Ｍに記憶される。
【００５９】
配信事業者の特定情報は、ユーザが予めコンテンツ情報の配信について契約した配信事業者を特定する情報であり、例えば、ＩＤ０１のサービス事業者コードが格納される。
目的地／経由地は、カーナビ部１で設定された目的地の緯度、経度の情報や、カーナビ部１で設定された目的地までの誘導経路において経由する経由地の緯度、経度の情報である。例えば、目的地や経由地として設定されたＩＤ１０の対象地点座標が格納される。
【００６０】
累計走行距離は車載器１０を購入し、センター装置３０に車載器ＩＤが登録された時点から現在地までの車両Ｃの累計走行距離の情報である。
嗜好ジャンルテーブルバージョンは、サービス事業者より配信された配信嗜好データテーブルＴ１のバージョンが格納される。つまり、ＩＤ８０の嗜好データバージョン情報が格納される。サービス事業者から配信される配信嗜好データテーブルＴ１が更新された時は、ＩＤ８０の嗜好データバージョン情報も更新されているので、アップリンク情報ｍ１の嗜好ジャンルテーブルバージョンには車載器１０が受け取った最新の嗜好データバージョン情報が格納されることになる。
【００６１】
嗜好ジャンルデータは、サービス事業者より配信された配信嗜好データテーブルＴ１に基づいてユーザの嗜好を反映させた嗜好情報が格納される。嗜好ジャンルデータに基づいて、センター装置３０は車載器１０に対して配信するコンテンツ情報を編成し、送信することになる。本実施の形態においては、ユーザ嗜好データテーブルＴ２の「嗜好データ選択」フィールドの値（「０」又は「１」のいずれかの値）が格納される。つまり、本実施の形態においては、ユーザ嗜好データテーブルＴ２は、先述したように９６個までを嗜好データとして設定できるので、アップリンク情報ｍ１の嗜好ジャンルデータには９６ｂｉｔのデータ格納されることになる。センター装置３０は、配信嗜好データテーブルＴ１の「嗜好データ対象識別子」フィールドの値が「１」となっている嗜好データと、アップリンク情報ｍ１の嗜好ジャンルデータの９６ｂｉｔのデータ（つまり嗜好情報を示す）に基づいて、当該嗜好データが選択されている／いないを判別することになる。
【００６２】
会員情報には、センター装置３０から配信されたコンテンツ情報のＩＤ４０の詳細情報データが書き込まれる。会員情報は、次回来店時の特典（クーポン情報）等を個別に配信するなどの多目的な情報を扱う。また、会員情報はＤＳＲＣ以外の通信手段で受け取ることも考えられるため、車載器１０からの入力が可能な構成としてもよい。先述したように、ＩＤ４０のコピーコントロールフラグによって、ＩＤ４０の詳細情報データから書き込まれるか否かが判断されることになる。
過去の立ち寄り地は、過去に車両Ｃが停車した（つまり車載器１０の電源がＯＮ又はＯＦＦされた）地点の緯度、経度の情報及び時刻情報である。
受信／再生履歴は、受信したコンテンツ情報の情報コードや、再生したコンテンツ情報の情報コード等の履歴である。
【００６３】
また、図１０に示すように、アップリンク情報記憶領域Ｍには、先述した特性情報を記憶する領域である特性情報領域ｍ２が存在する。特性情報領域ｍ２には、路側無線装置２０と車載器１０との間に、ＤＳＲＣ接続によって通信路が確立され、路側無線装置２０から車載器１０に対して特性情報の送信要求がなされた際に送信されるべき特性情報が記憶されることになる。
【００６４】
次に、動作について説明する。
図１１に、コンテンツ情報を配信する際におけるセンター装置３０、路側無線装置２０、車載器１０の各装置における処理の流れを示す。
図１１に示すように、まず車両Ｃのエンジンが起動し、車載器１０の電源が投入されると（ステップＳ１）、車載器１０の特性情報が生成され、記憶部３ｃのアップリンク情報記憶領域Ｍの特性情報領域ｍ２に書き込まれる（ステップＳ２）。特性情報は、予めセンター装置３０との間で取り決められている項目について制御部４が表示部１ｅ等の各部に問い合わせて取得したり、予め記憶部１ｆに記憶されている情報を読み出す等して取得する。そして、取得された情報を制御部４がコード化し、特性情報領域ｍ２に当該コードが書き込まれる。なお、実際には書込を指示する制御情報がＤＳＲＣ制御部３ａに出力され、このＤＳＲＣ制御部３ａが特性情報領域ｍ２に書き込まれる。
【００６５】
その後、車両Ｃが走行を開始し、路側無線装置２０の路側エリアＺに進入すると（エリアイン）、路側無線装置２０は車両Ｃを検出し、車載器１０のＤＳＲＣ部３とＤＳＲＣ通信による接続処理が開始される（ステップＳ３ａ、Ｓ３ｂ）。すなわち、ＤＳＲＣの電波が送出され、車載器１０からの応答が得られると、通信路が確立される。通信路が確立されると、路側無線装置２０はセンター装置３０に対し接続が完了した旨の通知情報が送信される（ステップＳ４ａ）。一方、車載器１０のＤＳＲＣ部３から制御部４に対し接続が完了した旨の通知情報が出力される（ステップＳ４ｂ）。なお、ＤＳＲＣ接続時には、車載器１０の記憶部３ｃ等に記憶されている車載器１０を識別するための車載器ＩＤがセンター装置３０に対して送信されている。
【００６６】
次いで、路側無線装置２０から車載器１０のＤＳＲＣ部３に対し、特性情報の送信要求が行われると、ＤＳＲＣ部３から特性情報領域ｍ２に書き込まれている特性情報が路側無線装置２０に送信される（ステップＳ５）。特性情報は路側無線装置２０を介してセンター装置３０に送信される。
センター装置３０では、ＤＳＲＣ接続時に取得される車載器ＩＤ等をもとに、車載器１０のユーザが配信サービスの会員か否かが判断される（ステップＳ６）。
【００６７】
センター装置３０に記憶されている配信サービスの全会員の車載器ＩＤのうち、受信した車載器ＩＤと一致するものがなく、非会員であると判断されると（ステップＳ６；Ｎ）、非会員用のコンテンツ情報が路側無線装置２０を介して車載器１０に送信される（ステップＳ６１）。その後、ステップＳ１６の処理に移行する。なお、非会員用のコンテンツ情報とは、電車の遅延情報、納税通知情報等の公共の広告情報や、入会を促す情報や迷惑（スパム）とは成り得ない程度の民間の広告情報等の一般向けの内容の情報である。車載器１０では、配信された当該コンテンツ情報は保存又は再生される（ステップＳ１１）。保存されたコンテンツ情報は所定のタイミングで再生されることとなる。
一方、一致する車載器ＩＤがあれば会員であると判断され（ステップＳ６；Ｙ）、配信事業者のサービス事業者コードの通知情報が路側無線装置２０に送信される（ステップＳ７）。なお、ステップＳ７においては、サービス事業者コードと共に他の情報（例えば、Ｗｅｌｃｏｍｅ画面を表示部１ｅに表示させるためにＩＤ１０を配信する等）のコンテンツ情報を含むようにしても良い。
【００６８】
路側無線装置２０を介してサービス事業者コードの通知情報が受信されると、記憶部１ｆに記憶されているアップリンク情報ｍ１に含まれるサービス事業者コードと、通知されたサービス事業者コードとが照合される（ステップＳ８）。一致するサービス事業者コードがない場合（ステップＳ８；Ｎ）、処理は何もされずエリアアウトを待つ。
【００６９】
一致するサービス事業者コードがある場合（ステップＳ８；Ｙ）、受信されたサービス事業者コードの配信事業者は正規の配信事業者であると判断され、当該サービス事業者コードに対応するアップリンク情報ｍ１が記憶部１ｆから読み出され、アップリンク情報記憶領域Ｍに書き込まれる（ステップＳ９）。前述のようにアップリンク情報ｍ１は各配信事業者に応じて生成され、更新が行われているので、配信事業者に応じた最新の内容となっている。
【００７０】
一方、センター装置３０によってデフォルトのコンテンツ情報が路側無線装置２０を介して車載器１０に配信される（ステップＳ１０）。デフォルトのコンテンツ情報とは、主に公共の広告情報等のスパムとならない内容の情報である。車載器１０では、配信された当該コンテンツ情報が保存もしくは再生されることになる（ステップＳ１１）。具体的には、受信したコンテンツ情報のＩＤ０３の即時／蓄積コードが蓄積を示していれば、当該コンテンツ情報であれば記憶部１ｆに保存され、ＩＤ０３の即時／蓄積コードが即時を示していれば、当該コンテンツ情報は受信後所定のタイミングで再生されることになる。
また、センター装置３０では車載器１０に対し、アップリンク情報記憶領域Ｍに書き込まれたアップリンク情報ｍ１の送信を要求する（ステップＳ１２）。以降は、車載器がエリアアウトするまで（車載器との無線通信が途切れるまで）、センター装置３０は車載器１０に対し、定期的にアップリンク情報ｍ１のポーリングを行う。
【００７１】
ＤＳＲＣ部３は、アップリンク情報ｍ１の書込が行われると、センター装置３０からのポーリングに応じて、アップリンク情報記憶領域Ｍに記憶されているアップリンク情報ｍ１が、路側無線装置２０を介してセンター装置３０に送信される（ステップＳ１３）。
【００７２】
センター装置３０では、送信されたアップリンク情報ｍ１より会員の趣向に適したコンテンツ情報が編成され、当該コンテンツ情報が車載器１０に配信される（ステップＳ１４）。車載器１０では、配信された当該コンテンツ情報は保存又は再生される（ステップＳ１５）。
【００７３】
その後、センター装置３０が配信すべきコンテンツ情報が全て配信されると、配信終了を通知するメッセージ情報が生成され、車載器１０に対して送信され（ステップＳ１６）、処理は終了する。なお、メッセージ情報の送信と共に、ユーザに対しエリアアウトを促しても良い。
このように、図１１に示した処理の流れにより、センター装置３０から配信されたコンテンツ情報は車載器１０の記憶部１ｆに保存もしくは所定のタイミングで再生されることになる。
【００７４】
次に、本実施の形態における車載器１０の動作を説明する。
図１２に、車載器１０において行われる楽曲ジャンル取得処理を示す。当該処理は、再生部５において楽曲が再生された際に、制御部４と記憶部１ｆに記憶されたプログラムとの協働により実行される。当該処理では、再生部５において再生されている楽曲のジャンルが取得され、後述するジャンル再生回数テーブルＴ３に当該取得されたジャンルの回数がカウントされる等によってジャンル再生回数テーブルＴ３が更新される。
【００７５】
図１２に示すように、再生部５において再生中の楽曲のジャンルが取得される（ステップＳ１０１）。具体的には、例えば再生部５においてＣＤが再生されている場合には、当該ＣＤのＣＤＤＢ（CD Data Base）を参照し、再生中の楽曲のジャンルを取得したり、ＭＰ３が再生されている場合にはＩＤ３タグを参照する等によって、再生中の楽曲のジャンルが取得される。
【００７６】
次いで、ステップＳ１０１において、再生部５で再生中の楽曲のジャンルがあるか否かが判断される（ステップＳ１０２）
再生部５で再生中の楽曲のジャンルがあると判断された場合（ステップＳ１０２；ＹＥＳ）、カウンタ変数ｉに１が代入される（ステップＳ１０３）。次いで、記憶部１ｆに記憶されたジャンル再生回数テーブルＴ３が参照され、ジャンル数Ｎ１が取得される（ステップＳ１０４）。
【００７７】
図１３に、ジャンル再生回数テーブルＴ３の一例を示す。
図１３に示すように、ジャンル再生回数テーブルＴ３は「ジャンル」フィールド、「回数」フィールド、及び「最終再生時間」フィールドから構成される。
「ジャンル」フィールドには、車載器１０の再生部５において再生された楽曲のジャンルが格納されている。「回数」フィールドには、各ジャンルに属する楽曲が再生部５において再生された回数が格納される。「最終再生時間」フィールドには、各ジャンルに属する楽曲が直近で再生された時間が格納される。
【００７８】
図１３に示すジャンル再生回数テーブルＴ３の例では、「Ｐｏｐ」というジャンルに属する楽曲は、再生部５において「２５」回されており、当該ジャンルの楽曲の直近の再生時間は「２００８年２月１２日１２時３４分」であることを示している。
ステップＳ１０４においては、ジャンル再生回数テーブルＴ３に格納されたレコード数をカウントする等によってジャンル数Ｎ１の取得が行われる。
【００７９】
カウンタ変数ｉがステップＳ１０４において取得されたジャンル数Ｎ１以下であるか否かが判断される（ステップＳ１０５）。カウンタ変数ｉがステップＳ１０４において取得されたジャンル数Ｎ１以下であると判断された場合（ステップＳ１０５；ＹＥＳ）、ジャンル再生回数テーブルＴ３のｉ番目のジャンル名が取得される（ステップＳ１０６）。具体的には、ジャンル再生回数テーブルＴ３のｉ番目のレコードが参照され、当該レコードの「ジャンル」フィールドに格納されている文字列が抽出されること等によって行われる。
【００８０】
次いで、ステップＳ１０１において取得された再生部５で再生中の楽曲のジャンルと、ステップＳ１０６において取得されたジャンルが一致しているか否かが判断される（ステップＳ１０７）。ジャンルが一致していると判断されない場合（ステップＳ１０７；ＮＯ）、カウンタ変数ｉが１加算され（ステップＳ１０９）、処理はステップＳ１０５に戻る。
ジャンルが一致していると判断された場合（ステップＳ１０７；ＹＥＳ）、ジャンル再生回数テーブルＴ３が更新される（ステップＳ１０８）。具体的には、ジャンル再生回数テーブルＴ３のｉ番目のレコードの「回数」フィールドに対応する値が１加算され、「最終再生時間」フィールドに対応する値に現在の時間が格納されることによって更新が行われる。
【００８１】
一方、カウンタ変数ｉがステップＳ１０４において取得されたジャンル数Ｎ１以下であると判断されない場合（ステップＳ１０５；ＮＯ）、ジャンル再生回数テーブルＴ３が更新される（ステップＳ１１０）。具体的には、ジャンル再生回数テーブルＴ３のｉ＋１番目に新たなレコードを追加し、当該レコードの「ジャンル」フィールドにステップＳ１０１において取得されたジャンルが、「回数」フィールドに再生回数を示す「１」が、「最終再生時間」フィールドに現在の時間が、それぞれ格納されることによって更新が行われる。
一方、再生部５で再生中の楽曲のジャンルがあると判断されない場合（ステップＳ１０２；ＮＯ）、処理は終了する。
以上説明した楽曲ジャンル取得処理によって、再生部５において再生されている楽曲のジャンルに基づいてジャンル再生回数テーブルＴ３が更新される。
【００８２】
図１４に、車載器１０において行われる嗜好データ候補抽出処理を示す。当該処理は、嗜好データ選択画面Ｇ１を表示させる際に、制御部４と記憶部１ｆに記憶されたプログラムとの協働により実行される。当該処理は、ジャンル再生回数テーブルＴ３に格納されているレコードから、予め定められた規定回数以上の再生回数があるレコードに対応するジャンルを抽出する。
【００８３】
図１４に示すように、記憶部１ｆの嗜好データ候補保存領域１ｆａが初期化される（ステップＳ２０１）。次いで、カウンタ変数ｉに１が代入され（ステップＳ２０２）、ジャンル再生回数テーブルＴ３のジャンル数Ｎ２が取得される（ステップＳ２０３）。具体的な処理は、ステップＳ１０４と同様であるので説明を省略する。
次いで、カウンタ変数ｉがステップＳ２０３において取得されたジャンル数Ｎ２以下であるか否かが判断される（ステップＳ２０４）。カウンタ変数ｉがステップＳ２０３において取得されたジャンル数Ｎ２以下であると判断された場合（ステップＳ２０４；ＹＥＳ）、ジャンル再生回数テーブルＴ３のｉ番目のジャンルの再生回数が取得される（ステップＳ２０５）。具体的には、ジャンル再生回数テーブルＴ３が参照され、ｉ番目のレコードの「回数」フィールドの値が取得されることになる。
【００８４】
次いで、ステップＳ２０５において取得されたｉ番目のジャンルの再生回数は規定回数以上であるか否かが判断される（ステップＳ２０６）。具体的には、ステップＳ２０５において取得された再生回数と、記憶部１ｆに予め記憶されている規定回数（例えば１０回等）が比較されることによって判断が行われる。
ステップＳ２０５において取得されたｉ番目のジャンルの再生回数は規定回数以上であると判断された場合（ステップＳ２０６；ＹＥＳ）、ｉ番目のジャンルの候補を抽出するための候補抽出処理が行われる（ステップＳ２０７）。例えば、ステップＳ２０６で判断される規定回数が１０回であった場合、図１３に示すジャンル再生回数テーブルＴ３の例であれば、「ジャンル」フィールドの値が「Ｐｏｐ」（「回数」フィールドの値が「２５」）と「Ｆｕｓｉｏｎ」（「回数」フィールドの値が「１２」）の場合に、ステップＳ２０７の候補抽出処理が行われることになる。
【００８５】
図１５に、ステップＳ２０７において行われる候補抽出処理を示す。当該処理では、ジャンル−嗜好データ関連テーブルＴ４から嗜好データ候補を抽出する。
まず、カウンタ変数ｊに１が代入され（ステップＳ３０１）、ジャンル−嗜好データ関連テーブルＴ４のジャンル数Ｎ３が取得される（ステップＳ３０２）。
【００８６】
図１６に、ジャンル−嗜好データ関連テーブルＴ４の一例を示す。図１６に示すように、ジャンル−嗜好データ関連テーブルＴ４は「ジャンル」フィールドと「嗜好データ候補」フィールドから構成される。
「ジャンル」フィールドには、楽曲のジャンルが格納される。「嗜好データ候補」フィールドには、楽曲のジャンルに対応した嗜好データ候補の文字列が格納される。
図１６に示す例では、「Ｐｏｐ」というジャンルに対して「Ｐｏｐ」、「Ｐｏｐｓ」、「ポップス」という文字列の嗜好データが対応付けられている。つまり、コンテンツ情報のジャンルがＰｏｐである場合であっても、サービス事業者によっては、ＩＤ８０の嗜好データ表示用テキストにおいて「Ｐｏｐｓ」や「ポップス」のように表記が異なる場合があるため、当該ジャンル−嗜好データ関連テーブルＴ４によって、同様のジャンルの表記を対応付けているのである。
なお、ジャンル−嗜好データ関連テーブルＴ４は、車載器１０の記憶部１ｆに記憶されており、車載器１０の入力部１ｄからの入力によりジャンル−嗜好データ関連テーブルＴ４の内容が変更できるようにしてもよい。
ステップＳ３０２における処理はステップＳ１０４と同様であるので説明を省略する。
【００８７】
ステップＳ３０３においては、カウンタ変数ｊがステップ３０２において取得されたジャンル数Ｎ３以下であるか否かが判断される（ステップＳ３０３）。カウンタ変数ｊがステップ３０２において取得されたジャンル数Ｎ３以下であると判断された場合（ステップＳ３０３；ＹＥＳ）、ジャンル−嗜好データ関連テーブルＴ４のｊ番目のジャンルが取得される（ステップＳ３０４）。具体的には、ジャンル−嗜好データ関連テーブルＴ４のｊ番目のレコードが参照され、「ジャンル」フィールドの値が取得されることになる。
【００８８】
次いで、ｉ番目のジャンルとｊ番目のジャンルが一致するか否かが判断される（ステップＳ３０５）。具体的には、ジャンル再生回数テーブルＴ３のｉ番目のレコードの「ジャンル」フィールドの値と、ジャンル−嗜好データ関連テーブルＴ４のｊ番目のレコードの「ジャンル」フィールドの値が比較されることにより行われる。
ｉ番目のジャンルとｊ番目のジャンルが一致すると判断された場合（ステップＳ３０５；ＹＥＳ）、ジャンル−嗜好データ関連テーブルＴ４のｊ番目のジャンルの嗜好データ数Ｌが取得される（ステップＳ３０６）。具体的には、ステップＳ３０５において一致すると判断されたジャンルとジャンル−嗜好データ関連テーブルＴ４の「ジャンル」フィールドの値が一致するレコードの数が嗜好データ数Ｌとして取得されることになる。図１６に示すジャンル−嗜好データ関連テーブルＴ４の例では、「Ｐｏｐ」というジャンルの嗜好データ数Ｌは３、「Ｒｏｃｋ」というジャンルの嗜好データ数Ｌは２、「Ｆｕｓｉｏｎ」というジャンルの嗜好データ数Ｌは２ということになる。
【００８９】
次いで、カウンタ変数ｋに１が代入され（ステップＳ３０７）、カウンタ変数ｋがステップＳ３０６において取得された嗜好データ数Ｌ以下であるか否かが判断される（ステップＳ３０８）。カウンタ変数ｋがステップＳ３０６において取得された嗜好データ数Ｌ以下であると判断された場合（ステップＳ３０８；ＹＥＳ）、ｊ番目のジャンルのｋ番目の嗜好データの候補が記憶部１ｆの嗜好データ候補保存領域１ｆａに保持される（ステップＳ３０９）。次いで、カウンタ変数ｋが１加算され（ステップＳ３１０）、処理はステップＳ３０８に戻る。
ステップＳ３０８〜ステップＳ３１０においては、ｉ番目のジャンルとジャンルが一致したジャンル−嗜好データ関連テーブルＴ４の「嗜好データ候補」フィールドの値が取得されることになる。
【００９０】
ｉ番目のジャンルとｊ番目のジャンルが一致すると判断されない場合（ステップＳ３０５；ＮＯ）、カウンタ変数ｊが１加算され（ステップＳ３１１）、処理はステップＳ３０３に戻る。
一方、カウンタ変数ｊがステップ３０２において取得されたジャンル数Ｎ３以下であると判断されない場合（ステップＳ３０３；ＮＯ）、カウンタ変数ｋがステップＳ３０６において取得された嗜好データ数Ｌ以下であると判断されない場合（ステップＳ３０８；ＮＯ）、処理はステップＳ２０８に移行する。
【００９１】
ステップＳ２０５において取得されたｉ番目のジャンルの再生回数は規定回数以上であると判断されない場合（ステップＳ２０６；ＮＯ）、カウンタ変数ｉが１加算され（ステップＳ２０８）、処理はステップＳ２０４に戻る。
一方、カウンタ変数ｉがステップＳ２０３において取得されたジャンル数Ｎ２以下であると判断されない場合（ステップＳ２０４；ＮＯ）、処理は終了する。
以上説明した、嗜好データ候補抽出処理によって、規定回数以上の再生回数があったジャンルに対応する嗜好データ候補が記憶部１ｆの嗜好データ候補保存領域１ｆａに格納される。
【００９２】
図１７に、車載器１０において行われる嗜好データ自動選択処理を示す。当該処理は、嗜好データ選択画面Ｇ１を表示させる際に、嗜好データ候補抽出処理が行われた後に、制御部４と記憶部１ｆに記憶されたプログラムとの協働により実行される。当該処理は、嗜好データ候補保存領域１ｆａに格納された嗜好データ候補を基にユーザ嗜好データテーブルＴ２の「嗜好データ選択」フィールドの値を選択し、ユーザ嗜好データテーブルＴ２を更新する。当該フィールドの値は、アップリンク情報ｍ１の嗜好ジャンルデータに嗜好情報として格納されることになる。
また、当該処理において使用されるジャンル再生回数テーブルＴ３とジャンル−嗜好データ関連テーブルＴ４は更新情報として使用され、制御部４は更新手段として機能する。
【００９３】
図１７に示すように、カウンタ変数ｉとｊにそれぞれ１が代入される（ステップＳ４０１）。次いで、ユーザ嗜好データテーブルＴ２が参照され、嗜好項目数Ｎ４が取得される（ステップＳ４０２）。嗜好項目数Ｎ４とは、ユーザ嗜好データテーブルＴ２の「嗜好データ番号」フィールドに格納された値の最大値である。
【００９４】
次いで、記憶部１ｆの嗜好データ候補保存領域１ｆａに格納された嗜好データの候補の数（以下、嗜好データ候補数Ｎ５という）が取得される（ステップＳ４０３）。
次いで、カウンタ変数ｉが嗜好データ候補数Ｎ４以下であるか否かが判断される（ステップＳ４０４）。カウンタ変数ｉが嗜好データ候補数Ｎ４以下であると判断された場合（ステップＳ４０４；ＹＥＳ）、ｉ番目の嗜好データ表示用テキストが取得される（ステップＳ４０５）。具体的には、ユーザ嗜好データテーブルＴ２の「嗜好データ番号」フィールドの値が「ｉ」のレコードの「嗜好データ表示用テキスト／ネスト」フィールドの嗜好データ表示用テキストが取得されることになる。
【００９５】
次いで、嗜好データ候補保存領域のｊ番目の嗜好データ候補が取得される（ステップＳ４０６）。ステップＳ４０５において取得された嗜好データ表示用テキストとステップＳ４０６において取得された嗜好データの候補が一致するか否かが判断される（ステップＳ４０７）。なお、ステップＳ４０７における判断は文字列の完全一致でもよいし、前後の部分一致としてもよい。
【００９６】
ステップＳ４０５において取得された嗜好データ表示用テキストとステップＳ４０６において取得された嗜好データの候補が一致すると判断された場合（ステップＳ４０７；ＹＥＳ）、ｉ番目の嗜好データがＯＮに選択される（ステップＳ４０８）。具体的には、ユーザ嗜好データテーブルＴ２が参照され、ステップＳ４０５において取得された嗜好データ表示用テキストと一致するレコードの「嗜好データ選択」フィールドに対応する値が１（本実施の形態においてはＯＮを示す）となる。
【００９７】
一方、ステップＳ４０５において取得された嗜好データ表示用テキストとステップＳ４０６において取得された嗜好データ候補が一致すると判断されない場合（ステップＳ４０７；ＮＯ）、処理はステップＳ４０９に移行する。
ステップＳ４０９においては、カウンタ変数ｊが１加算され（ステップＳ４０９）、カウンタ変数ｊがステップＳ４０６において取得された嗜好データ候補数Ｎ５以上であるか否かが判断される（ステップＳ４１０）。
カウンタ変数ｊがステップＳ４０６において取得された嗜好データ候補数Ｎ５以上であると判断されない場合（ステップＳ４１０；ＮＯ）、処理はステップＳ４０６に戻る。
カウンタ変数ｊがステップＳ４０６において取得された嗜好データ候補数Ｎ５以上であると判断された場合（ステップＳ４１０；ＹＥＳ）、カウンタ変数ｉが１加算される（ステップＳ４１１）。次いで、カウンタ変数ｊに１が代入され（ステップＳ４１２）、処理はステップＳ４０４に戻る。
【００９８】
一方、カウンタ変数ｉが嗜好データ候補数Ｎ４以下であると判断されない場合（ステップＳ４０４；ＮＯ）、処理は終了する。
以上説明した、嗜好データ自動選択処理によって嗜好データ候補保存領域１ｆａに保存された嗜好データの候補と文字列が一致する嗜好データがＯＮにされることになる。
【００９９】
以上のように、本実施の形態における配信システム１００においては、車載器１０における楽曲ジャンル取得処理によって取得された楽曲のジャンル情報に基づいて、嗜好データ候補抽出処理及び嗜好データ自動選択処理が行われ、ユーザ嗜好データテーブルＴ２の「嗜好データ選択」フィールドの値が自動的に更新される。したがって、ユーザが再生部５において再生した楽曲のジャンルのうち、再生回数が多いジャンルの楽曲をユーザが好んでいると判断し、当該ジャンルがユーザ嗜好データテーブルＴ２に含まれていた場合に選択するよう処理が行われるので、ユーザが好んで再生している楽曲のジャンルのコンテンツ情報をサービス事業者が配信することができるようになる。
【０１００】
また、ジャンル−嗜好データ関連テーブルＴ４に、楽曲のジャンルと嗜好データ候補を対応付けておくことにより、嗜好データ自動選択処理における嗜好データの自動選択を、より汎用的に行うことができる。つまり、楽曲のジャンルと対応する嗜好データ候補がジャンル−嗜好データ関連テーブルＴ４において管理されているので、楽曲のジャンルとユーザ嗜好データテーブルＴ２の嗜好データ表示用テキストの文字列が一致しない場合であっても、楽曲のジャンルと嗜好データ表示用テキストの関連付けを容易に行うことができる。
【０１０１】
なお、上述した本実施の形態における記述は、本発明に係る好適な配信システムの一例であり、これに限定されるものではない。
例えば、本実施の形態においては、嗜好データ候補保存領域１ｆａに記憶された、再生部５において再生された楽曲のジャンルに対応する嗜好データの候補に基づいて嗜好データ自動選択処理が行われるようにしたが、嗜好データ候補保存領域１ｆａに記憶されるのは楽曲のジャンルに限られない。例えば、再生部５においてユーザがＣＤを再生した回数を記憶部１ｆに記憶させ、ＣＤを再生した回数が一定回数を超えた場合に、「レンタルショップＡ」等の特定の嗜好データの候補を嗜好データ候補保存領域に記憶させ、嗜好データ自動選択処理が実行されるようにしてもよい。
【０１０２】
また、再生部５の楽曲再生のための条件としてセットされているイコライザ設定（「Ｐｏｐｓ」、「Ｒｏｃｋ」等の音響の設定をいう）に基づいて嗜好データ自動選択処理が行われてもよい。例えば、イコライザ設定が「Ｐｏｐｓ」として設定されていれば、当該イコライザ設定と対応する嗜好データの候補を記憶部１ｆの嗜好データ候補保存領域１ｆａに記憶しておき、当該嗜好データを読み出すことによって嗜好データ自動選択処理が行われてもよい。
【０１０３】
また、本実施の形態においては、嗜好データ候補抽出処理と嗜好データ自動選択処理を嗜好データ選択画面Ｇ１を表示させる際に実行させたが、車両Ｃのエリアイン時や楽曲の再生時等に嗜好データ候補抽出処理と嗜好データ自動選択処理が実行され、ユーザ嗜好データテーブルＴ２が更新されてもよい。この場合には、ユーザが嗜好データ選択画面Ｇ１を表示させていない場合であっても、更新されたユーザ嗜好データテーブルＴ２に基づいてアップリンク情報ｍ１を作成することができる。
【０１０４】
また、本実施の形態においては、再生部５において楽曲が再生された際に、ジャンル再生回数テーブルＴ３が更新されるようにしたが、ジャンル再生回数テーブルＴ３の更新の方法はこれに限られない。例えば、車載器１０に外部接続された再生機器が楽曲の再生履歴を記憶していた場合には、当該履歴の情報からジャンル再生回数テーブルＴ３が更新されるようにしてもよいし、記憶部１ｆに記憶されたコンテンツ情報のＩＤ１０に楽曲等のコンテンツが含まれている場合、当該コンテンツを再生した場合に、ＩＤ４０の詳細情報データ等に格納されているジャンルを取得することによってジャンル再生回数テーブルＴ３が更新されるようにしてもよい。
【０１０５】
また、ジャンル再生回数テーブルＴ３に格納された値に基づいて嗜好データを自動的に選択するようにしたが、ジャンル再生回数テーブルＴ３に格納された値に基づいて嗜好データの選択を解除するようにしてもよい。例えば、ジャンル再生回数テーブルＴ３の「最終再生時間」フィールドの値から判断して、一定時間以上再生されていなかった楽曲のジャンルの嗜好データを選択しないようにユーザ嗜好データテーブルＴ２が更新されるようにしてもよい。
【０１０６】
また、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【０１０７】
その他、配信システム１００を構成する各装置の細部構成及び細部動作に関しても、本発明の趣旨を逸脱することのない範囲で適宜変更可能である。
【０１０８】
（第２の実施の形態）
次に図１８及び図１９を参照しつつ、本発明に係る配信システム１００の第２の実施の形態について説明する。なお、第２の実施の形態は、センター装置３０や車載器１０の構成は第１の実施の形態と同様であり、第１の実施の形態において図１１に示した配信システム１００の処理の流れのみが第１の実施の形態と異なるものであるため、以下においては、特に第１の実施の形態と異なる点について説明する。
【０１０９】
第１の実施の形態においては、嗜好データ選択画面Ｇ１を表示させる際に嗜好データ候補抽出処理と嗜好データ自動選択処理が行われたが、第２の実施の形態においては、嗜好データ候補抽出処理と嗜好データ自動選択処理は、車載器１０の記憶部１ｆがコンテンツ情報を記憶できる空き容量があると判断した場合に行われる。
【０１１０】
図１８、図１９に、第２の実施の形態においてコンテンツ情報を配信する際におけるセンター装置３０、路側無線装置２０、車載器１０の各装置における処理の流れを示す。
図１８に示すステップＳ２１〜ステップＳ２８、ステップＳ２６１は、それぞれ図１１のステップＳ１〜ステップＳ８、ステップＳ６１と同様であるので説明を省略する。
ステップＳ２９においては、車載器１０のユーザが選択している嗜好データに基づいたアップリンク情報ｍ１がＤＳＲＣ部に対して書き込まれる点でステップＳ９と異なる。つまり、第２の実施の形態においては、ステップＳ２９の時点においては、嗜好データ候補抽出処理と嗜好データ自動選択処理は行われておらず、ユーザが自ら嗜好データ選択画面Ｇ１からの入力等によって選択したユーザ嗜好データテーブルＴ２に基づいて作成されたアップリンク情報ｍ１がＤＳＲＣ部に対して書き込まれることになる。
【０１１１】
図１８、図１９のステップＳ３０〜ステップＳ３５は、それぞれ図８のステップＳ１０〜ステップＳ１５と同様であるので説明を省略する。
ステップＳ３５において記憶部１ｆにコンテンツ情報が保存もしくは再生されると、記憶部１ｆにコンテンツ情報を保存するための保存可能領域があるか否かが判断される（ステップＳ３６）。具体的には、記憶部１ｆの空き容量が取得され、予め定められた閾値以下となっているか否か等によって保存可能領域があるか否かが判断されることになる。制御部４は、ステップＳ３６における処理により保存可能領域判断手段として機能する。
【０１１２】
保存可能領域があると判断された場合（ステップＳ３６；Ｙ）、記憶部１ｆに記憶されているユーザ嗜好データテーブルＴ２の嗜好データが更新される（ステップＳ３７）。具体的には、ステップＳ３７において嗜好データ候補抽出処理と嗜好データ自動選択処理が行われることにより、ユーザ嗜好データテーブルＴ２の嗜好データが更新されることになる。
【０１１３】
当該更新されたユーザ嗜好データテーブルＴ２に基づいて、アップリンク情報ｍ１が作成され、ＤＳＲＣ部に書き込まれる（ステップＳ３８）。続くステップＳ３９〜ステップＳ４２の処理は、それぞれステップＳ１３〜ステップＳ１６と同様であるので説明を省略する。なお、ステップＳ４０においては、センター装置３０は嗜好データ候補抽出処理と嗜好データ自動選択処理によって更新されたユーザの嗜好データに基づいてコンテンツ情報を配信することになる。
一方、保存可能領域があると判断されない場合（ステップＳ３６；Ｎ）、処理は終了する。
【０１１４】
以上のように、第２の実施の形態における配信システム１００によれば、エリアイン時には、まずユーザが予め設定していたユーザ嗜好データテーブルＴ２の内容を基に、コンテンツ情報の受信を行い、車載器１０の記憶部１ｆに保存可能であれば、嗜好データ自動選択処理によってユーザ嗜好データテーブルＴ２を更新しアップリンクすることにより追加でコンテンツ情報の受信が行われる。したがって、記憶部１ｆの空き容量が少なくなっている場合に、嗜好データ自動選択処理によって自動的にユーザ嗜好データテーブルＴ２を更新したことにより、嗜好データ選択画面Ｇ１からの入力によって本来ユーザが選択していた嗜好データのコンテンツ情報が受信できなくなる恐れがなくなる。
【０１１５】
その他、配信システム１００を構成する各装置の細部構成及び細部動作に関しても、本発明の趣旨を逸脱することのない範囲で適宜変更可能である。
【図面の簡単な説明】
【０１１６】
【図１】本実施形態における配信システムを示す図である。
【図２】図１の路側無線装置の路側エリアを説明する図である。
【図３】図１の車載器の機能的構成を示す図である。
【図４】コンテンツ情報のデータ構造の一例を示す図である。
【図５】コンテンツ情報のデータ形式の一例を示す図である。
【図６】嗜好データのデータ形式の詳細を示す一例である。
【図７】本実施の形態における配信嗜好データテーブルのデータ格納例である。
【図８】本実施の形態におけるユーザ嗜好データテーブルのデータ格納例である。
【図９】車載器の表示部に表示される嗜好データ設定画面の一例である。
【図１０】アップリンク情報のデータ形式を示す一例である。
【図１１】第１の実施の形態における配信システムにおける処理の流れを説明する図である。
【図１２】車載器における楽曲ジャンル取得処理を説明する図である。
【図１３】本実施の形態におけるジャンル再生回数テーブルのデータ格納例である。
【図１４】車載器における嗜好データ候補抽出処理を説明する図である。
【図１５】車載器における候補抽出処理を説明する図である。
【図１６】本実施の形態におけるジャンル−嗜好データ関連テーブルのデータ格納例である。
【図１７】車載器における嗜好データ自動選択処理を説明する図である。
【図１８】第２の実施の形態における配信システムにおける処理の流れを説明する図である。
【図１９】第２の実施の形態における配信システムにおける処理の流れを説明する図である。
【符号の説明】
【０１１７】
１００  配信システム
１０  車載器
１  カーナビ部
１ｄ  入力部
１ｅ  表示部
１ｆ  記憶部
１ｆａ  嗜好データ候補保存領域
３  ＤＳＲＣ部
Ｍ  アップリンク情報記憶領域
４  制御部
５  再生部
２０  路側無線装置
３０  センター装置
【図１】
2009294890.tif 000003
【図２】
2009294890.tif 000004
【図３】
2009294890.tif 000005
【図４】
2009294890.tif 000006
【図５】
2009294890.tif 000007
【図６】
2009294890.tif 000008
【図７】
2009294890.tif 000009
【図８】
2009294890.tif 000010
【図９】
2009294890.tif 000011
【図１０】
2009294890.tif 000012
【図１１】
2009294890.tif 000013
【図１２】
2009294890.tif 000014
【図１３】
2009294890.tif 000015
【図１４】
2009294890.tif 000016
【図１５】
2009294890.tif 000017
【図１６】
2009294890.tif 000018
【図１７】
2009294890.tif 000019
【図１８】
2009294890.tif 000020
【図１９】
2009294890.tif 000021